【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
(a)第1のチャンバを規定するハウジングと、
(b)前記ハウジングから延び、第2の開いたチャンバを規定する、患者の体腔に挿入するための出口と、
(c)前記ハウジングの前記第1のチャンバに設けられた、排出ブロックオリフィスを規定する排出ブロックと、
(d)前記第1のチャンバ内で移動するようにその中に受入れ可能な薬剤排出装置であって、長手方向軸線を有し、分配される製剤を格納する容器と、排出メカニズムと、前記容器からの排出チャネルとを備え、前記排出ブロックオリフィスを介して前記製剤を前記出口に排出できるようにするため、前記排出チャネルが前記排出ブロックによって受入れ可能である薬剤排出装置と、
(e)前記ハウジングに設けられた少なくとも一つの指操作式部材であって、前記薬剤排出装置を前記長手方向軸線に沿って前記排出ブロックに向かって移動させて、前記排出メカニズムを作動させるため、前記薬剤排出装置に直接又は間接的に力を加えるように移動可能な指操作式部材と、を備え、
前記ハウジングが、前記少なくとも一つの指操作式部材がそこを通して部分的に突出するアパーチャを更に規定し、前記少なくとも一つの指操作式部材が前記アパーチャを閉鎖するように作用する休止位置から、前記アパーチャの閉鎖が解かれ、前記出口を通して患者が吸入するのに応答して、前記アパーチャを通して前記ハウジングに空気を引き込むことができる作動位置へと前記少なくとも一つの指操作式部材が移動可能である、吸入によって薬剤を送達するための薬剤ディスペンサー装置。
【請求項２】
前記出口を通して患者が吸入すると、前記出口において被覆する空気流を提供するなど、前記出口の内周面においてほぼ環状の空気流を提供する少なくとも一つの空気流路を前記出口が含んでいる、請求項1に記載の薬剤ディスペンサー装置。
【請求項３】
複数の前記空気流路が円形に配置されている、請求項2に記載の薬剤ディスペンサー装置。
【請求項４】
前記排出ブロックが、別個に形成された構成要素として、前記排出ブロックの前記排出ブロックオリフィスに流体接続し、且つ使用の際に薬剤がそこから送達される排出出口オリフィスを含む排出出口を備える、請求項1から3のいずれか一項に記載の薬剤ディスペンサー装置。
【請求項５】
前記少なくとも一つの指操作式部材が、前記薬剤排出装置の前記長手方向軸線に対して横断方向に移動可能である、請求項1から4のいずれか一項に記載の薬剤ディスペンサー装置。
【請求項６】
前記少なくとも一つの指操作式部材が機械工率を適用するように構成される、請求項1から5のいずれか一項に記載の薬剤ディスペンサー装置。
【請求項７】
前記少なくとも一つの指操作式部材がレバーを含む、請求項6に記載の薬剤ディスペンサー装置。
【請求項８】
二つの向かい合ったレバーが存在し、それらがそれぞれ前記ハウジングの一部に枢動的に接続するとともに、前記二つの向かい合ったレバーをユーザが握り締めると、前記排出装置を前記排出ブロックに向かって押しやるように構成された、請求項7に記載の薬剤ディスペンサー装置。
【請求項９】
前記二つの向かい合ったレバーが結合メカニズムによって互いに結合される、請求項8に記載の薬剤ディスペンサー装置。
【請求項１０】
前記レバー又はそのそれぞれが、前記ハウジングの下端で枢動的に支持される、請求項8又は9に記載の薬剤ディスペンサー装置。
【請求項１１】
前記少なくとも一つの指操作式部材がその前記休止位置に向かって付勢される、請求項1から10のいずれか一項に記載の薬剤ディスペンサー装置。
【請求項１２】
前記作動位置では、前記少なくとも一つの指操作式部材の一部分が前記薬剤排出装置の前記容器の基部に係合して、前記容器を作動する形で前記排出ブロックに向かって押すようになっている、請求項1から11のいずれか一項に記載の薬剤ディスペンサー装置。
【請求項１３】
前記作動位置では、前記少なくとも一つの指操作式部材の一部分が、前記薬剤排出装置の前記容器に力を伝達して、前記容器を作動する形で前記排出ブロックに向かって押す又は引くことができる作動メカニズムに係合する、請求項1から12のいずれか一項に記載の薬剤ディスペンサー装置。
【請求項１４】
(f)前記容器に接続し、前記容器を係合する容器カラーと、
(g)前記容器カラーに接続し、それに対して前記薬剤排出装置の前記長手方向軸線に沿って移動可能な伝達要素であって、作動部分を含み、前記少なくとも一つの指操作式部材が、前記伝達要素の前記作動部分に力を加えて、伝達要素を前記長手方向軸線に沿って第1の方向で移動させるように移動可能な伝達要素と、
(h)前記容器カラーを前記伝達要素と接続する、前記伝達要素を前記長手方向軸線に沿って前記第1の方向で移動させる際の付勢エネルギーを保存する付勢メカニズムと、
(i)前記容器カラーに設けられる予圧メカニズムであって、予め定められた閾値力を超えるまで、前記容器カラーに前記付勢エネルギーが伝達されて、前記容器を前記長手方向軸線に沿って前記第1の方向で移動させて、前記排出メカニズムを作動させるのを防ぐ予圧メカニズムと、を更に備える、請求項13に記載の薬剤ディスペンサー装置。
【手続補正２】
【補正対象書類名】明細書
【補正対象項目名】００２２
【補正方法】変更
【補正の内容】
【００２２】
排出出口の少なくとも後部区画が排出ブロックから離れる方向で内寸が増加している。実施形態では、排出出口の少なくとも後部区画は、排出ブロックから離れる方向で寸法が増加する。一実施形態では、排出出口は本質的に円錐形の内部を規定する。別の実施形態では、排出出口は本質的にバケツ形の内部を規定する。
【手続補正３】
【補正対象書類名】明細書
【補正対象項目名】００２３
【補正方法】変更
【補正の内容】
【００２３】
実施形態では、排出ブロックは、排出出口を受け入れる横向きのキャビティを含む。排出出口が、締まり嵌め又はスナップ嵌め接続を用いて横向きのキャビティ内で固定される。実施形態では、排出出口は、横向きのキャビティ内に固定的に配置される。排出出口は、プレス嵌め若しくはスナップ嵌め方法の使用による、クリップ係合メカニズムの使用による、被せ溶接(over-welding)の使用による、又は熱かしめ(heat-staking)の使用によるなど、あらゆる適切な接合或いは封止方法によって、横向きのキャビティ内に適切に固定される。実施形態では、排出出口は横向きのキャビティ内のスナップ嵌めである。
【手続補正４】
【補正対象書類名】明細書
【補正対象項目名】００３４
【補正方法】変更
【補正の内容】
【００３４】
一つの態様では、薬剤排出装置は、エーロゾル化薬剤を分配するのに適しており、したがって、一般に、計量吸入器(MDI)タイプの薬剤ディスペンサーに使用される、良く知られたタイプの排出弁を備えたエーロゾルキャニスターを備える。キャニスターは一般に金属(例えば、アルミニウム)で形成される。弁は、一般に戻しばねを含むので、弁が発射を行うと、その後の発射に備える「休止」位置に戻される。また、薬剤排出装置が、エーロゾル化薬剤を排出するのに適しており、弁心棒を有する排出弁を備えたエーロゾルキャニスターを備える。そのエーロゾルキャニスターが噴霧剤中に薬剤を含むエーロゾル製剤を含み、噴霧剤がフルオロカーボン又は水素含有クロロフルオロカーボン噴霧剤である。また、薬剤が抗炎症剤であり、この抗炎症剤が、コルチコステロイド、NSAID、グルココルチコイド化合物、及びそれらの混合物から成る群から選択される。
【手続補正５】
【補正対象書類名】明細書
【補正対象項目名】００５１
【補正方法】変更
【補正の内容】
【００５１】
一つの態様では、二つの向かい合ったレバーの移動は結合され、その結合は、使用の際に患者によって、他方のレバーに加えられるのと不均一な力が一方のレバーに加えられるのを完全に又は部分的に補償するように作用する。あらゆる適切な結合メカニズムが用いられてもよい。カップリングメカニズムが、二つの向かい合ったレバーそれぞれに設けられた噛合する歯を備える。一つの態様では、二つの向かい合ったレバーは噛合する歯を備え、それらの歯は、互いに噛合し、それによって結合作用をもたらすように構成される。そのような結合は、向かい合ったレバーを(例えば、握り締めることによって)作動させたとき、どちらかのレバーの周りで同等のサイズの開口部の閉鎖が解かれ(即ち、開かれ)、それによって、患者がそこを通して吸入したときに装置を通る空気流をより均一(即ち、対称的)にするという更なる利点を提供する。